(57)【特許請求の範囲】
【請求項１】
Ｎ個（但し、Ｎは２以上の整数とする。）のチャンネルの入力を、第１チャンネルから第Ｎチャンネルのチャンネル毎に自チャンネルを除く他のチャンネルの干渉信号を低減させてＮ個のチャンネルの出力とする干渉信号低減回路であって、
第ｉチャンネル（但し、ｉは１以上、Ｎ以下の整数とする。）の入力の（Ｎ−１）個の分岐のうち１つから第ｊチャンネル（但し、ｊは１以上、Ｎ以下の整数で、ｊ≠ｉとする。）に含まれる前記第ｉチャンネルの干渉信号を低減し、且つ前記第ｊチャンネルの第ｊ甲しきい値判定器の前のＳ／Ｎを最大化するように出力する第ｉ−ｊ甲フィルタと、
前記第ｉチャンネルの入力の他の１個の分岐を遅延させて出力する第ｉ甲遅延素子と、
前記第ｉ甲遅延素子の出力から第ｋチャンネル（但し、ｋは１以上、Ｎ以下の整数で、ｋ≠ｉとする。）の第ｋ−ｉ甲フィルタからの出力を減算して出力する第ｉ甲減算器と、
前記第ｉ甲減算器の出力を判定誤り率が最小となる所定のしきい値で判定して前記第ｉチャンネルの送信データの推定値を出力する第ｉ甲しきい値判定器と、
前記第ｉ甲しきい値判定器の出力の（Ｎ−１）個の分岐のうち１つから前記第ｍチャンネル（但し、ｍは１以上、Ｎ以下の整数で、ｍ≠ｉとする。）に含まれる前記第ｉチャンネルの干渉信号を複製して出力する第ｉ−ｍ乙フィルタと、
前記第ｉチャンネルの入力の他の１個の分岐を遅延させて出力する第ｉ乙遅延素子と、
前記第ｉ乙遅延素子の出力から第ｎチャンネル（但し、ｎは１以上、Ｎ以下の整数で、ｎ≠ｉとする。）の第ｎ−ｉ乙フィルタからの出力を減算して出力する第ｉ乙減算器と、
前記第ｉ乙減算器の出力を判定誤り率が最小となる所定のしきい値で判定して前記第ｉチャンネルの送信データの推定値を出力する第ｉ乙しきい値判定器と、を備え、
前記第ｉ−ｊ甲フィルタは、前記第ｊチャンネルの前記第ｊ甲しきい値判定器の入力点のＳ／Ｎを最大化するように出力し、
前記第ｉ甲遅延素子は、前記第ｋ−ｉ甲フィルタからの出力と前記第ｉチャンネルに含まれる前記第ｋチャンネルの干渉信号とが前記第ｉ甲減算器において時間領域で重なるように遅延させ、
前記第ｉ−ｍ乙フィルタは、前記第ｍチャンネルの第ｍ乙しきい値判定器のしきい値判定時刻で前記第ｍチャンネルに含まれる前記第ｉチャンネルの干渉信号と同一の値をとるように前記第ｉチャンネルの干渉信号を複製し、
前記第ｉ乙遅延素子は、前記第ｎ−ｉ乙フィルタからの出力と前記第ｉチャンネルに含まれる前記第ｎチャンネルの干渉信号とが前記第ｉ乙減算器において時間領域で重なるように遅延させることを特徴とする干渉信号低減回路。
【請求項２】
前記第ｉ乙しきい値判定器の出力を第ｉチャンネルの出力とすることを特徴とする請求項１に記載の干渉信号低減回路。
【請求項３】
前記第ｉ乙しきい値判定器の出力（Ｎ−１）個の分岐のうち１つから第ｓチャンネル（但し、ｓは１以上、Ｎ以下の整数で、ｓ≠ｉとする。）に含まれる前記第ｉチャンネルの干渉信号を複製して出力する第ｉ−ｓ丙１フィルタと、
前記第ｉチャンネルの入力の他の１個の分岐を遅延させて出力する第ｉ丙１遅延素子と、
前記第ｉ丙１遅延素子の出力から第ｗチャンネル（但し、ｗは１以上、Ｎ以下の整数で、ｗ≠ｉとする。）の第ｗ−ｉ丙１フィルタからの出力を減算して出力する第ｉ丙１減算器と、
前記第ｉ丙１減算器の出力を判定誤り率が最小となる所定のしきい値で判定して前記第ｉチャンネルの送信データの推定値を出力する第ｉ丙１しきい値判定器と、をさらに備え、
前記第ｉ−ｓ丙１フィルタは、前記第ｓチャンネルの第ｓ丙１しきい値判定器の入力点のＳ／Ｎを最大化するように前記第ｉチャンネルの干渉信号を複製し、
前記第ｉ丙１遅延素子は、前記第ｗ−ｉ丙１フィルタからの出力と前記第ｉチャンネルに含まれる前記第ｗチャンネルの干渉信号とが前記第ｉ丙１減算器において時間領域で重なるように遅延させることを特徴とする請求項１に記載の干渉信号低減回路。
【請求項４】
１の入力から第ｐチャンネル（但し、ｐは１以上、Ｎ以下の整数で、ｐ≠ｉとする。）に含まれる前記第ｉチャンネルの干渉信号を複製して出力する第ｉ−ｐ丙ｖフィルタ（但し、ｖは２以上の整数とする。）と、
前記第ｉチャンネルの入力の他のＭ個（但し、Ｍは（ｖ＋１）以上の整数とする。）の分岐のうち１つを遅延させて出力する第ｉ丙ｖ遅延素子と、
前記第ｉ丙ｖ遅延素子の出力から前記第ｉチャンネルに含まれる第ｑチャンネル（但し、ｑは１以上、Ｎ以下の整数で、ｑ≠ｉとする。）の干渉信号の複製を減算して出力する第ｉ丙ｖ減算器と、
前記第ｉ丙ｖ減算器の出力を判定誤り率が最小となる所定のしきい値で判定して前記第ｉチャンネルの送信データの推定値を出力する第ｉ丙ｖしきい値判定器と、をさらに備え、
前記第ｉ−ｐ丙ｖフィルタは、前記第ｉチャンネルの第ｉ丙（ｖ−１）しきい値判定器の出力を前記１の入力として前記第ｐチャンネルの第ｐ丙ｖしきい値判定器の入力点のＳ／Ｎを最大化するように前記第ｉチャンネルの干渉信号を複製し、
前記第ｉ丙ｖ遅延素子は、前記第ｑチャンネルの第ｑ−ｉ丙ｖフィルタからの出力と前記第ｉチャンネルに含まれる前記第ｑチャンネルの干渉信号とが前記第ｉ丙ｖ減算器において時間領域で重なるように遅延させることを特徴とする請求項３に記載の干渉信号低減回路。
【請求項５】
前記第ｉ丙ｖしきい値判定器の出力を第ｉチャンネルの出力とすることを特徴とする請求項４に記載の干渉信号低減回路。
【請求項６】
前記第ｉ−ｊ甲フィルタ、前記第ｋ−ｉ甲フィルタ、前記第ｉ−ｍ乙フィルタ又は前記第ｎ−ｉ乙フィルタは、１の入力を複数に分岐させ、分岐したそれぞれを遅延させ所定のタップ係数を乗じて結合させて出力する適応フィルタであることを特徴とする請求項１から５のいずれかに記載の干渉信号低減回路。
【請求項７】
前記第ｉ−ｓ丙１フィルタ又は前記第ｗ−ｉ丙１フィルタは、１の入力を複数に分岐させ、分岐したそれぞれを遅延させ所定のタップ係数を乗じて結合させて出力する適応フィルタであることを特徴とする請求項３から５のいずれかに記載の干渉信号低減回路。
【請求項８】
前記第ｉ−ｐ丙ｖフィルタ又は前記第ｑ−ｉ丙ｖフィルタは、１の入力を複数に分岐させ、分岐したそれぞれを遅延させ所定のタップ係数を乗じて結合させて出力する適応フィルタであることを特徴とする請求項４又は５に記載の干渉信号低減回路。
【請求項９】
前記適応フィルタは、前記Ｎ個のチャンネルの１つに対応し予め設定した希望信号と前記適応フィルタの出力との差の２乗値が最小となるように前記タップ係数を制御することを特徴とする請求項６から８のいずれかに記載の干渉信号低減回路。
【請求項１０】
前記適応フィルタは、前記Ｎ個のチャンネルの１つに対応する前記希望信号をｄｙ，ｚ（但し、ｙは０以上、（Ｎ−１）以下の整数とし、ｚは１以上の整数とする。）とし、前記１の入力を複数に分岐させ、分岐したそれぞれを遅延させた遅延ベクトルをベクトルｕｙ，ｚ（但し、［ベクトルｕｙ，ｚ］は、第ｙチャンネルに対応し要素数Ｆ個（但し、Ｆは適応フィルタのタップ数に対応する。）で更新回数ｚ回のベクトルを表し、以下［ｕｙ，ｚ］と表記する。）とし、前記遅延ベクトルに乗じるタップ係数のタップ係数ベクトルをベクトルＷｙ，ｚ（但し、［ベクトルＷｙ，ｚ］は、第ｙチャンネルに対応し要素数Ｆ個で更新回数ｚ回のベクトルを表し、以下［Ｗｙ，ｚ］と表記する。）とし、前記希望信号と前記適応フィルタの出力との差をｅｙ，ｚ＝ｄｙ，ｚ−ｕｙ，ｚＴ・Ｗｙ，ｚとし、前記遅延ベクトルの相関行列の固有値の最大値をλｍａｘとしたときに、
前記タップ係数ベクトルを
Ｗｙ，ｚ＋１＝Ｗｙ，ｚ＋μ・ｅｙ，ｚ・ｕｙ，ｚ（但し、μは０＜μ＜２／λｍａｘとする。）
により更新することを特徴とする請求項９に記載の干渉信号低減回路。
【発明の詳細な説明】
【技術分野】
【０００１】
本発明は、２以上のチャンネルを多重化して通信を行う装置において、各チャンネルに含まれる干渉信号を低減させて出力する干渉信号低減回路に関する。
【背景技術】
【０００２】
現在、２以上のチャンネルを多重化して通信する場合、時分割多重通信方式、符号分割多重通信方式、波長分割多重通信方式等の多重通信方式により通信を行う。
【０００３】
ここで、図４に、多重通信方式の１例である波長分割多重通信方式で通信を行う場合の波長分割多重通信システムの概略構成図を示す。また、図５に、光分波器の光透過特性の１例を示す。
【０００４】
図４の波長分割多重通信システム１００では、チャンネル１として波長λ１の信号光を送信する送信機８０と、チャンネル２として波長λ２の信号光を送信する送信機８１と、送信機８０、８１からの信号光を合波する光合波器８４と、光合波器８４で合波された信号光を伝搬させる光ファイバ７９と、光ファイバ７９を伝搬した信号光をチャンネル１である波長λ１の信号光及びチャンネル２である波長λ２の信号光に分波する光分波器８５と、チャンネル１である波長λ１の信号光を受信する受信機８２と、チャンネル２である波長λ２の信号光を受信する受信機８３と、を備える。
【０００５】
ここで、光分波器８５において、チャンネル１及びチャンネル２の信号光を正確に分波しようとした場合、波長透過率が波長λ１、波長λ２を中心として、中心から離れるに従って急激に減衰する光分波器を適用するときは、光分波器への挿入損失が大きくなるためＳ／Ｎが劣化する。また、このような光分波器は、高コストである。そのため、光分波器８５としては、図５に示すように透過波長が波長領域で一部重なったものを適用することとなる。
【０００６】
この場合、チャンネル２の信号光の波長が温度の影響によって波長λ２から波長λ１側へシフトし、チャンネル１の信号光の透過波長領域に入ってきてしまったときは、チャンネル１の信号光にはチャンネル２の信号光が干渉信号として混在するため、図４の波長分割多重通信システム１００では、伝送特性が劣化する問題が生じる。
【０００７】
この問題を解決する方法の１つは、各チャンネルの信号光を受光素子で受光し電気信号に変換した後、電気領域で干渉信号を低減させる方法がある（例えば、非特許文献１を参照。）。
【０００８】
図６及び図７に、従来の干渉信号低減回路の概略構成図の１例を示す。また、図８に、トランスバーサルフィルタの概略構成図の１例を示す。
【０００９】
図６の干渉信号低減回路１０１は、Ｄ個（但し、Ｄは２以上の整数である。）あるチャンネルのうち第ａチャンネル（但し、ａは１以上、Ｄ以下の整数である。）の入力をＰ個（但し、Ｐは１以上、（Ｄ−１）以下の整数である。）に分岐させた１つから第ｂチャンネル（但し、ｂは１以上、Ｄ以下の整数で、ｂ≠ａである。）の干渉信号を複製する第ａトランスバーサルフィルタ７７（以下、「トランスバーサルフィルタ」を「ＴＦ」と略称する。）と、１の入力をＰ個に分岐させた他の１つを遅延させて出力する第ａ遅延素子７１と、第ａ遅延素子７１の出力から第ｂチャンネルの干渉信号の複製を減算して出力する第ａ減算器７３と、第ａ減算器７３の出力をしきい値判定する第ａしきい値判定器７５と、を備える。
【００１０】
第ａＴＦ７７及び第ｂＴＦ７８は、それぞれ図８のＴＦ１２に示すように、１の入力を複数に分岐させ、そのうち（Ｎ−１）個の分岐の入力信号のそれぞれについて縦列に配置された遅延素子９０から９３を介して遅延させ、乗算器９４から９８で所定のタップ係数を乗算し、結合させて出力する。そして、図６の第ａＴＦ７７は、第ｂチャンネルの第ｂしきい値判定器７６のしきい値判定時刻における第ａチャンネルの干渉信号と同一の値をとるように第ａチャンネルの干渉信号を複製する。また、第ｂ遅延素子７２は、第ｂチャンネルに含まれる第ａチャンネルの干渉信号と時間領域で重なるように遅延させる。これにより、干渉信号低減回路１０１は、第ｂ減算器７４において、複製された第ａチャンネルの干渉信号と第ｂチャンネルに含まれる第ａチャンネルの干渉信号を減算できるので、干渉信号を低減させた出力を第ｂしきい値判定器７６からすることができる。
【００１１】
一方、図７の干渉信号低減回路１０２は、１の入力から第ｂチャンネルの干渉信号の複製を減算して出力する第ａ減算器７３と、第ａ減算器７３の出力をしきい値判定する第ａしきい値判定器７５と、第ａしきい値判定器７５の出力をＰ個に分岐させた１つから第ｂチャンネルの干渉信号を複製する第ａＴＦ７７と、を備える。
【００１２】
図７の干渉信号低減回路１０１は、図７に示すように、各チャンネルへの信号光を受光素子（不図示）により電気信号に変換した後、第ａしきい値判定器７５の出力を第ａＴＦ７７を介して第ｂ減算器７４に帰還させ、第ｂしきい値判定器７６の出力を第ｂＴＦ７８を介して第ａ減算器７３に帰還させる。これにより、干渉信号低減回路１０２は、第ｂ減算器７４において、複製された第ａチャンネルの干渉信号と第ｂチャンネルに含まれる第ａチャンネルの干渉信号を減算できるので、干渉信号を低減させた出力を第ｂしきい値判定器７６からすることができる。
【００１３】
【非特許文献１】北野豊和、原晋介、森永規彦“多段構成干渉キャンセラを用いたＤＳ−ＣＤＭＡシステムにおける高電力狭帯域干渉の除去”電子情報通信学会論文誌Ｂ，Ｖｏｌ．Ｊ８５−Ｂ，Ｎｏ．１１，ｐｐ．１８９５−１９０３，２００２．１１
【発明の開示】
【発明が解決しようとする課題】
【００１４】
しかし、図６の干渉信号低減回路１０１の場合、第ａＴＦ７７及び第ｂＴＦ７８の入力信号にガウス雑音や干渉信号等の自チャンネルの信号以外の信号が雑音として含まれている。そのため、干渉信号低減回路１０１は、第ａＴＦ７７及び第ｂＴＦ７８において目的の干渉信号を複製しようとして図８のＴＦ１２の乗算器９４から９８の乗数を大きくするとＴＦ１２の入力信号に含まれる雑音を新たな雑音として他のチャンネルに付加させることとなり、伝送特性が劣化する。逆に、ＴＦ１２の入力信号に含まれる雑音を新たな雑音として付加する影響を小さくしようとして乗算器９４から９８の乗数を小さくすると、低減しようとする干渉信号の残留が大きくなってしまう。
【００１５】
一方、図７の干渉信号低減回路１０２では、第ｂＴＦ７８において第ａしきい値判定器７５のしきい値判定時刻の未来にある干渉信号しか複製できず、また第ａＴＦ７７において第ｂしきい値判定器７６のしきい値判定時刻の未来にある干渉信号しか複製できない。そのため、干渉信号低減回路１０２は、干渉信号がしきい値判定時刻の過去にある場合に干渉信号を低減させることができない。
【００１６】
従って、図６及び図７の干渉信号低減回路１０１、１０２では、十分な干渉信号低減効果を得ることができない。
【００１７】
そこで、本発明では、各チャンネルに含まれる干渉信号低減効果を大きくすることが可能な干渉信号低減回路を提供することを目的とする。
【課題を解決するための手段】
【００１８】
上記目的を達成するため、本発明者は、複数のチャンネルの各チャンネルについて、干渉信号を低減させる甲しきい値判定器の他に、甲しきい値判定器の出力から他チャンネルに含まれる自チャンネルの干渉信号を複製する乙フィルタと、他チャンネルの乙フィルタで複製された他チャンネルの干渉信号と自チャンネルに含まれる他チャンネルの干渉信号とが時間領域で重なるようにするための乙遅延素子と、乙遅延素子の出力と乙フィルタの出力とを減算する乙減算器と、をさらに設け、乙減算器の出力から乙しきい値判定器でチャンネルの送信データの判定を行うこととした。
【００１９】
具体的には、本発明に係る干渉信号低減回路は、Ｎ個（但し、Ｎは２以上の整数とする。）のチャンネルの入力を、第１チャンネルから第Ｎチャンネルのチャンネル毎に自チャンネルを除く他のチャンネルの干渉信号を低減させてＮ個のチャンネルの出力とする干渉信号低減回路であって、第ｉチャンネル（但し、ｉは１以上、Ｎ以下の整数とする。）の入力の（Ｎ−１）個の分岐のうち１つから第ｊチャンネル（但し、ｊは１以上、Ｎ以下の整数で、ｊ≠ｉとする。）に含まれる前記第ｉチャンネルの干渉信号を低減し、且つ前記第ｊチャンネルの第ｊ甲しきい値判定器の前のＳ／Ｎを最大化するように出力する第ｉ−ｊ甲フィルタと、前記第ｉチャンネルの入力の他の１個の分岐を遅延させて出力する第ｉ甲遅延素子と、前記第ｉ甲遅延素子の出力から第ｋチャンネル（但し、ｋは１以上、Ｎ以下の整数で、ｋ≠ｉとする。）の第ｋ−ｉ甲フィルタからの出力を減算して出力する第ｉ甲減算器と、前記第ｉ甲減算器の出力を判定誤り率が最小となる所定のしきい値で判定して前記第ｉチャンネルの送信データの推定値を出力する第ｉ甲しきい値判定器と、前記第ｉ甲しきい値判定器の出力の（Ｎ−１）個の分岐のうち１つから前記第ｍチャンネル（但し、ｍは１以上、Ｎ以下の整数で、ｍ≠ｉとする。）に含まれる前記第ｉチャンネルの干渉信号を複製して出力する第ｉ−ｍ乙フィルタと、前記第ｉチャンネルの入力の他の１個の分岐を遅延させて出力する第ｉ乙遅延素子と、前記第ｉ乙遅延素子の出力から第ｎチャンネル（但し、ｎは１以上、Ｎ以下の整数で、ｎ≠ｉとする。）の第ｎ−ｉ乙フィルタからの出力を減算して出力する第ｉ乙減算器と、前記第ｉ乙減算器の出力を判定誤り率が最小となる所定のしきい値で判定して前記第ｉチャンネルの送信データの推定値を出力する第ｉ乙しきい値判定器と、を備え、前記第ｉ−ｊ甲フィルタは、前記第ｊチャンネルの前記第ｊ甲しきい値判定器の入力点のＳ／Ｎを最大化するように出力し、前記第ｉ甲遅延素子は、前記第ｋ−ｉ甲フィルタからの出力と前記第ｉチャンネルに含まれる前記第ｋチャンネルの干渉信号とが前記第ｉ甲減算器において時間領域で重なるように遅延させ、前記第ｉ−ｍ乙フィルタは、前記第ｍチャンネルの第ｍ乙しきい値判定器のしきい値判定時刻で前記第ｍチャンネルに含まれる前記第ｉチャンネルの干渉信号と同一の値をとるように前記第ｉチャンネルの干渉信号を複製し、前記第ｉ乙遅延素子は、前記第ｎ−ｉ乙フィルタからの出力と前記第ｉチャンネルに含まれる前記第ｎチャンネルの干渉信号とが前記第ｉ乙減算器において時間領域で重なるように遅延させることを特徴とする。
【００２０】
ここで、上記パラメータ「Ｎ」、「ｉ」、「ｊ」、「ｋ」、「ｍ」及び「ｎ」は、それぞれ上記各但し書きの条件で他のパラメータに依拠せずに独立に任意の値をとる。
【００２１】
本発明では、第ｉチャンネルの干渉信号低減用の第ｉ甲しきい値判定器によって第ｉチャンネルの送信データの推定値を出力し、それを第ｉ−ｍ乙フィルタに入力するため、自チャンネルの信号のみを第ｉ−ｍ乙フィルタへの入力とすることができる。さらに、第ｉ乙遅延素子及び第ｉ乙減算器により、第ｋ−ｉ甲フィルタで複製された第ｋチャンネルの干渉信号と第ｉチャンネルに含まれる第ｋチャンネルの干渉信号とを時間領域を重ねて減算するため、従来からのＴＦの遅延段数による雑音増加や干渉信号の残留に起因する伝送特性の劣化の問題を解消し、より大きな干渉信号低減効果を得ることができる。そのため、十分な伝送特性を有する通信の実現を図ることができる。
【００２２】
上記干渉信号低減回路において、前記第ｉ乙しきい値判定器の出力を第ｉチャンネルの出力とすることが望ましい。
【００２３】
本発明では、第ｉ乙しきい値判定器の出力から、判定誤り率の最小値が小さく高精度の第ｉチャンネルの送信データを得ることができる。そのため、十分な伝送特性を有する通信が可能である。
【００２４】
また、上記干渉信号低減回路において、前記第ｉ乙しきい値判定器の出力（Ｎ−１）個の分岐のうち１つから第ｓチャンネル（但し、ｓは１以上、Ｎ以下の整数で、ｓ≠ｉとする。）に含まれる前記第ｉチャンネルの干渉信号を複製して出力する第ｉ−ｓ丙１フィルタと、前記第ｉチャンネルの入力の他の１個の分岐を遅延させて出力する第ｉ丙１遅延素子と、前記第ｉ丙１遅延素子の出力から第ｗチャンネル（但し、ｗは１以上、Ｎ以下の整数で、ｗ≠ｉとする。）の第ｗ−ｉ丙１フィルタからの出力を減算して出力する第ｉ丙１減算器と、前記第ｉ丙１減算器の出力を判定誤り率が最小となる所定のしきい値で判定して前記第ｉチャンネルの送信データの推定値を出力する第ｉ丙１しきい値判定器と、をさらに備え、前記第ｉ−ｓ丙１フィルタは、前記第ｓチャンネルの第ｓ丙１しきい値判定器の入力点のＳ／Ｎを最大化するように前記第ｉチャンネルの干渉信号を複製し、前記第ｉ丙１遅延素子は、前記第ｗ−ｉ丙１フィルタからの出力と前記第ｉチャンネルに含まれる前記第ｗチャンネルの干渉信号とが前記第ｉ丙１減算器において時間領域で重なるように遅延させることが望ましい。
【００２５】
ここで、上記パラメータ「ｓ」及び「ｗ」は、それぞれ上記各但し書きの条件で他のパラメータに依拠せずに独立に任意の値をとる。
【００２６】
本発明では、さらに、他の１個の分岐を設け、第ｉ丙１減算器において、他チャンネルの第ｗ−ｉ乙フィルタで複製された第ｗチャンネルの干渉信号と第ｉチャンネルに含まれる第ｗチャンネルの干渉信号とを時間領域を重ねて減算するため、第ｗ−ｉ乙フィルタの前段に接続された第ｗチャンネルの第ｗ乙しきい値判定器が判定誤りをして、Ｓ／Ｎを劣化させたとしても、第ｉ丙１しきい値判定器では、前段以上にＳ／Ｎを改善できるので、従来からのＴＦの遅延段数による雑音増加や干渉信号の残留に起因する伝送特性の劣化の問題を解消し、さらに判定誤り率の最小値を小さくすることができ、より大きな干渉信号低減効果を得ることができる。そのため、伝送特性を向上させることができる。
【００２７】
また、上記干渉信号低減回路において、上記干渉信号低減回路において、１の入力から第ｐチャンネル（但し、ｐは１以上、Ｎ以下の整数で、ｐ≠ｉとする。）に含まれる前記第ｉチャンネルの干渉信号を複製して出力する第ｉ−ｐ丙ｖフィルタ（但し、ｖは２以上の整数とする。）と、前記第ｉチャンネルの入力の他のＭ個（但し、Ｍは（ｖ＋１）以上の整数とする。）の分岐のうち１つを遅延させて出力する第ｉ丙ｖ遅延素子と、前記第ｉ丙ｖ遅延素子の出力から前記第ｉチャンネルに含まれる第ｑチャンネル（但し、ｑは１以上、Ｎ以下の整数で、ｑ≠ｉとする。）の干渉信号の複製を減算して出力する第ｉ丙ｖ減算器と、前記第ｉ丙ｖ減算器の出力を判定誤り率が最小となる所定のしきい値で判定して前記第ｉチャンネルの送信データの推定値を出力する第ｉ丙ｖしきい値判定器と、をさらに備え、前記第ｉ−ｐ丙ｖフィルタは、前記第ｉチャンネルの第ｉ丙（ｖ−１）しきい値判定器の出力を前記１の入力として前記第ｐチャンネルの第ｐ丙ｖしきい値判定器の入力点のＳ／Ｎを最大化するように前記第ｉチャンネルの干渉信号を複製し、前記第ｉ丙ｖ遅延素子は、前記第ｑチャンネルの第ｑ−ｉ丙ｖフィルタからの出力と前記第ｉチャンネルに含まれる前記第ｑチャンネルの干渉信号とが前記第ｉ丙ｖ減算器において時間領域で重なるように遅延させることが望ましい。
【００２８】
ここで、上記パラメータ「ｐ」、「ｖ」、「Ｍ」及び「ｑ」は、それぞれ上記各但し書きの条件で他のパラメータに依拠せずに独立に任意の値をとる。
【００２９】
本発明では、さらに、他のＭ個の分岐を設け、第ｉ丙ｖ減算器において、他チャンネルの第ｑ−ｉ乙フィルタで複製された第ｑチャンネルの干渉信号と第ｉチャンネルに含まれる第ｑチャンネルの干渉信号とを時間領域を重ねて減算するため、第ｑ−ｉ乙フィルタの前段に接続された第ｑチャンネルの第ｑ丙（ｖ−１）しきい値判定器が判定誤りをして、Ｓ／Ｎを劣化させたとしても、第ｉ丙ｖしきい値判定器では、前段以上にＳ／Ｎを改善できるので、従来からのＴＦの遅延段数による雑音増加や干渉信号の残留に起因する伝送特性の劣化の問題を解消し、さらに判定誤り率の最小値を小さくすることができ、さらに大きな干渉信号低減効果を得ることができる。そのため、伝送特性をより向上させることができる。
【００３０】
また、上記干渉信号低減回路において、前記第ｉ丙ｖしきい値判定器の出力を第ｉチャンネルの出力とすることが望ましい。
【００３１】
本発明では、第ｉ丙ｖしきい値判定器の出力から、判定誤り率の最小値が小さく高精度の第ｉチャンネルの送信データを得ることができる。そのため、十分な伝送特性を有する通信が可能である。
【００３２】
また、上記干渉信号低減回路において、前記第ｉ−ｊ甲フィルタ、前記第ｋ−ｉ甲フィルタ、前記第ｉ−ｍ乙フィルタ又は前記第ｎ−ｉ乙フィルタは、１の入力を複数に分岐させ、分岐したそれぞれを遅延させ所定のタップ係数を乗じて結合させて出力する適応フィルタであることが望ましい。
【００３３】
適応フィルタでは、適応フィルタからの出力が希望信号に近づくようにタップ係数を収束させることにより、１の入力に含まれるガウス信号及び干渉信号の全雑音信号の平均電力を最小とすることができる。そのため、適応フィルタとした第ｉ−ｊ甲フィルタ、第ｋ−ｉ甲フィルタ、第ｉ−ｍ乙フィルタ又は第ｎ−ｉ乙フィルタは、それぞれガウス信号及び干渉信号の全雑音信号の平均電力を最小にして他チャンネルに含まれる自チャンネルの作り出した干渉信号を複製することができる。従って、本発明では、後段のフィルタにおいて前段のフィルタよりも、より精度を高く他チャンネルに含まれる自チャンネルの干渉信号を複製することができ、伝送特性を向上させることができる。
【００３４】
また、上記干渉信号低減回路において、前記第ｉ−ｓ丙１フィルタ又は前記第ｗ−ｉ丙１フィルタは、１の入力を複数に分岐させ、分岐したそれぞれを遅延させ所定のタップ係数を乗じて結合させて出力する適応フィルタであることが望ましい。
【００３５】
適応フィルタでは、適応フィルタからの出力が希望信号に近づくようにタップ係数を収束させることにより、１の入力に含まれるガウス信号及び干渉信号の全雑音信号の平均電力を最小とすることができる。そのため、適応フィルタとした第ｗ−ｉ丙１フィルタ又は第ｉ−ｓ丙１フィルタは、それぞれガウス信号及び干渉信号の全雑音信号の平均電力を最小にして他チャンネルに含まれる自チャンネルの作り出した干渉信号を複製することができる。従って、本発明では、後段のフィルタにおいて前段のフィルタよりも、より精度を高く他チャンネルに含まれる自チャンネルの干渉信号を複製することができ、伝送特性を向上させることができる。
【００３６】
また、上記干渉信号低減回路において、前記第ｉ−ｐ丙ｖフィルタ又は前記第ｑ−ｉ丙ｖフィルタは、１の入力を複数に分岐させ、分岐したそれぞれを遅延させ所定のタップ係数を乗じて結合させて出力する適応フィルタであることが望ましい。
【００３７】
適応フィルタでは、適応フィルタからの出力が希望信号に近づくようにタップ係数を収束させることにより、１の入力に含まれるガウス信号及び干渉信号の全雑音信号の平均電力を最小とすることができる。そのため、適応フィルタとした第ｉ−ｐ丙ｖフィルタ又は第ｑ−ｉ丙ｖフィルタは、それぞれガウス信号及び干渉信号の全雑音信号の平均電力を最小にして他チャンネルに含まれる自チャンネルの作り出した干渉信号を複製することができる。従って、本発明では、後段のフィルタにおいて、前段のフィルタよりも、より精度を高く他チャンネルに含まれる自チャンネルの干渉信号を複製することができ、伝送特性を向上させることができる。
【００３８】
また、上記干渉信号低減回路において、前記適応フィルタは、前記Ｎ個のチャンネルの１つに対応し予め設定した希望信号と前記適応フィルタの出力との差の２乗値が最小となるように前記タップ係数を制御することが望ましい。
【００３９】
本発明では、希望信号と適応フィルタの出力との差の２乗値が最小となるようにタップ係数を制御することにより、第ｉ−ｊ甲フィルタ、第ｋ−ｉ甲フィルタ、第ｉ−ｍ乙フィルタ、第ｎ−ｉ乙フィルタ、第ｗ−ｉ丙１フィルタ、第ｉ−ｓ丙１フィルタ、第ｉ−ｐ丙ｖフィルタ又は第ｑ−ｉ丙ｖフィルタは、ガウス信号及び干渉信号の全雑音信号の平均電力を最小にして、他チャンネルに含まれる自チャンネルの作り出した干渉信号を複製することができる。従って、本発明では、後段のフィルタにおいて、前段のフィルタよりも、より精度を高く他チャンネルに含まれる自チャンネルの干渉信号を複製することができ、伝送特性を向上させることができる。
【００４０】
また、上記干渉信号低減回路において、前記適応フィルタは、前記Ｎ個のチャンネルの１つに対応する前記希望信号をｄｙ，ｚ（但し、ｙは０以上、（Ｎ−１）以下の整数とし、ｚは１以上の整数とする。）とし、前記１の入力を複数に分岐させ、分岐したそれぞれを遅延させた遅延ベクトルをベクトルｕｙ，ｚ（但し、［ベクトルｕｙ，ｚ］は、第ｙチャンネルに対応し要素数Ｆ個（但し、Ｆは適応フィルタのタップ数に対応する。）で更新回数ｚ回のベクトルを表し、以下［ｕｙ，ｚ］と表記する。）とし、前記遅延ベクトルに乗じるタップ係数のタップ係数ベクトルをベクトルＷｙ，ｚ（但し、［ベクトルＷｙ，ｚ］は、第ｙチャンネルに対応し要素数Ｆ個で更新回数ｚ回のベクトルを表し、以下［Ｗｙ，ｚ］と表記する。）とし、前記希望信号と前記適応フィルタの出力との差をｅｙ，ｚ＝ｄｙ，ｚ−ｕｙ，ｚＴ・Ｗｙ，ｚとし、前記遅延ベクトルの相関行列の固有値の最大値をλｍａｘとしたときに、前記タップ係数ベクトルをＷｙ，ｚ＋１＝Ｗｙ，ｚ＋μ・ｅｙ，ｚ・ｕｙ，ｚ（但し、μは０＜μ＜２／λｍａｘとする。）により更新することが望ましい。
【００４１】
ここで、上記パラメータ「ｙ」及び「ｚ」は、それぞれ上記各但し書きの条件で他のパラメータに依拠せずに独立に任意の値をとる。
【００４２】
本発明では、μが０＜μ＜２／λｍａｘを満たすときに、タップ係数ベクトルＷｙ，ｚがＷｉｅｎｅｒ解に収束し、適応フィルタは、適応フィルタからの出力の全雑音信号の平均電力を最小とすることができる。本発明では、第ｉ−ｊ甲フィルタ、第ｋ−ｉ甲フィルタ、第ｉ−ｍ乙フィルタ、第ｎ−ｉ乙フィルタ、第ｗ−ｉ丙１フィルタ、第ｉ−ｓ丙１フィルタ、第ｉ−ｐ丙ｖフィルタ又は第ｑ−ｉ丙ｖフィルタは、ガウス信号及び干渉信号の全雑音信号の平均電力を最小にして、他チャンネルに含まれる自チャンネルの作り出した干渉信号を複製することができる。従って、本発明では、後段のフィルタにおいて、前段のフィルタよりも、より精度を高く他チャンネルに含まれる自チャンネルの干渉信号を複製することができ、伝送特性を向上させることができる。
【発明の効果】
【００４３】
本発明では、干渉信号低減用の甲しきい値判定器によって、チャンネルの送信データの推定値を出力し、それを乙フィルタに入力するため、自チャンネルの信号のみを乙フィルタへの入力とすることができる。また、乙遅延素子及び乙減算器により、他チャンネルの乙フィルタの出力と自チャンネルに含まれる干渉信号とを時間領域で重なるようにして減算することができる。従って、干渉信号低減効果を大きくすることができる。また、十分な伝送特性を有する通信の実現を図ることができる。
【発明を実施するための最良の形態】
【００４４】
以下に、本発明に係る干渉信号低減回路について実施形態を示して詳細に説明するが、本発明は、以下の記載に限定して解釈されない。なお、以下の実施形態においてパラメータ「Ｎ」、「ｉ」、「ｊ」、「Ｑ」及び「ｘ」は、前述で使用した各パラメータ「Ｎ」、「ｉ」、「ｊ」、「ｋ」、「ｍ」、「ｎ」、「ｓ」、「ｗ」、「ｐ」、「ｖ」、「Ｍ」及び「ｑ」とは別個独立のものであるが、パラメータ「Ｎ」、「ｉ」、「ｊ」、「Ｑ」及び「ｘ」に代入される具体的な数値とパラメータ「Ｎ」、「ｉ」、「ｊ」、「ｋ」、「ｍ」、「ｎ」、「ｓ」、「ｗ」、「ｐ」、「ｖ」、「Ｍ」及び「ｑ」に代入される具体的な数値とが同一である限り、同一の意味内容を示すものとする。つまり、例えば、「第ｊチャンネル」の「ｊ」に整数「１」を代入した「第１チャンネル」と「第ｗチャンネル」の「ｗ」に整数「１」を代入した「第１チャンネル」とは同一の「第１チャンネル」を意味する。
【００４５】
（第１実施形態）
図１に、本実施形態に係る干渉信号低減回路の概略構成図を示す。図１では、Ｎ個あるチャンネルのうち任意の第ｉチャンネルと第ｊチャンネルとの関係のみを記載しているが、パラメータ「Ｎ」、「ｉ」及び「ｊ」は、以下に説明する各但し書きの条件で他のパラメータに依拠せずに独立に任意の値をとる。
【００４６】
図１の干渉信号低減回路１０は、Ｎ（但し、Ｎは２以上の整数とする。）個のチャンネルの入力を、第１チャンネルから第Ｎチャンネルのチャンネル毎に自チャンネルを除く他のチャンネルの干渉信号を低減させてＮ個のチャンネルの出力とする干渉信号低減回路である。つまり、図１において、Ｎ個のチャンネルのうち第ｉチャンネル（但し、ｉは１以上、Ｎ以下の整数とする。）の入力は、干渉信号低減回路１０において第ｉチャンネルを除く他のチャンネルの干渉信号が低減され第ｉチャンネルの出力とされる。また、第ｊチャンネル（但し、ｊは１以上、Ｎ以下の整数で、ｊ≠ｉとする。）の入力は、干渉信号低減回路１０において第ｊチャンネルを除く他のチャンネルの干渉信号が低減され第ｊチャンネルの出力とされる。
【００４７】
図１の干渉信号低減回路１０は、第ｉチャンネルの分岐ｉ−２からの入力の（Ｎ−１）個の分岐のうち１つから第ｊチャンネルに含まれる第ｉチャンネルの干渉信号を低減し、且つ第ｊチャンネルの第ｊ甲しきい値判定器の前のＳ／Ｎを最大化するように出力する第ｉ−ｊ甲フィルタとしての第ｉ−ｊ甲ＴＦ２０と、第ｉチャンネルの入力の他の１個の分岐ｉ−３からの入力を遅延させて出力する第ｉ甲遅延素子３１と、第ｉ甲遅延素子３１の出力から第ｊチャンネルの第ｊ−ｉ甲フィルタとしての第ｊ−ｉ甲ＴＦ２１からの出力を減算して出力する第ｉ甲減算器４２と、第ｉ甲減算器４２の出力を判定誤り率が最小となる所定のしきい値で判定して第ｉチャンネルの送信データの推定値を出力する第ｉ甲しきい値判定器５２と、第ｉ甲しきい値判定器５２の出力の（Ｎ−１）個の分岐のうち１つから第ｊチャンネルに含まれる第ｉチャンネルの干渉信号を複製して出力する第ｉ−ｊ乙フィルタとしての第ｉ−ｊ乙ＴＦ２３と、を備える。
【００４８】
また、第ｉチャンネルの入力の他の１個の分岐ｉ−１からの入力を遅延させて出力する第ｉ乙遅延素子３２と、第ｉ乙遅延素子３２の出力から第ｊチャンネルの第ｊ−ｉ乙フィルタとしての第ｊ−ｉ乙ＴＦ２２からの出力を減算して出力する第ｉ乙減算器４１と、第ｉ乙減算器４１の出力を判定誤り率が最小となる所定のしきい値で判定して第ｉチャンネルの送信データの推定値を出力する第ｉ乙しきい値判定器５１と、を備える。
【００４９】
本実施形態では、図１に示すように、干渉信号低減回路１０の第ｉチャンネルの入力は分岐ｉ−１、分岐ｉ−２及び分岐ｉ−３の３つに分岐する。そして、分岐ｉ−２からの入力は、さらに（Ｎ−１）個に分岐し、その１つが第ｉ−ｊ甲ＴＦ２０に入力される。この第ｉ−ｊ甲ＴＦ２０は、第ｊチャンネルに含まれる第ｉチャンネルの作り出した干渉信号を低減させ、且つ第ｊチャンネルの第ｊ甲しきい値判定器５０の前のＳ／Ｎを最大化するように出力する。つまり、第ｉ−ｊ甲ＴＦ２０は、第ｊ甲しきい値判定器５０の入力点での第ｊチャンネルに含まれるガウス雑音と干渉信号を合わせた全雑音信号の平均電力を低減させる。干渉信号の具体的な複製アルゴリズムは、後述する。
【００５０】
一方、第ｊチャンネルにおいても第ｉチャンネルと同様に、第ｊチャンネルの入力は、分岐ｊ−１、分岐ｊ−２及び分岐ｊ−３の３つに分岐する。そして、分岐ｊ−２からの入力は、さらに（Ｎ−１）個に分岐し、その１つが第ｊ−ｉ甲ＴＦ２１に入力される。この第ｊ−ｉ甲ＴＦ２１は、第ｉチャンネルの第ｉ甲しきい値判定器５２の入力点のＳ／Ｎを最大化するように、第ｉチャンネルに含まれる第ｊチャンネルの作り出した干渉信号を低減させ、且つ第ｉチャンネルの第ｉ甲しきい値判定器５２の前のＳ／Ｎを最大化するように出力する。つまり、第ｊ−ｉ甲ＴＦ２１は、第ｉ甲しきい値判定器５２の入力点での第ｉチャンネルに含まれるガウス雑音と干渉信号を合わせた全雑音信号の平均電力を低減させる。
【００５１】
また、第ｊチャンネルでは、３つの分岐ｊ−１、分岐ｊ−２及び分岐ｊ−３のうち分岐ｊ−３からの入力が第ｊ甲遅延素子３０を介して第ｊ甲減算器４０に入力される。また、第ｊ甲減算器４０には、第ｉ−ｊ甲ＴＦ２０の出力が入力される。ここで、第ｊ甲遅延素子３０は、第ｉ−ｊ甲ＴＦ２０からの出力と第ｊチャンネルに含まれる第ｉチャンネルの作り出した干渉信号とが第ｊ甲減算器４０において時間領域で重なるように遅延させる。これにより、第ｊ甲減算器４０では、第ｊチャンネルに存在する第ｉチャンネルの作り出した干渉信号から第ｉ−ｊ甲ＴＦ２０からの出力を減算して第ｉチャンネルの作り出した干渉信号を低減させることができる。
【００５２】
また、第ｊ甲減算器４０の出力は、干渉信号低減用の第ｊ甲しきい値判定器５０に入力され、判定誤り率が最小となる所定のしきい値でしきい値判定される。この第ｊ甲しきい値判定器５０は、入力点において予めＳ／Ｎが最大化されているため、ガウス雑音及び干渉信号を含まない出力をすることができる。そして、第ｊ甲しきい値判定器５０の出力は、第ｊ−ｉ乙ＴＦ２２に入力される。この第ｊ−ｉ乙ＴＦ２２は、第ｉチャンネルの第ｉ乙しきい値判定器５１のしきい値判定時刻で第ｉチャンネルに含まれる第ｊチャンネルの作り出した干渉信号と同一の値をとるように第ｊチャンネルの干渉信号を複製する。また、第ｊ−ｉ乙ＴＦ２２の出力は、第ｉ乙減算器４１に入力される。
【００５３】
一方、第ｉチャンネルにおいても第ｊチャンネルと同様に、分岐ｉ−３からの入力は、第ｉ甲遅延素子３１を介して第ｉ甲減算器４２に入力される。また、第ｉ甲減算器４２には、第ｊ−ｉ甲ＴＦ２１の出力が入力される。ここで、第ｉ甲遅延素子３１は、第ｊ−ｉ甲ＴＦ２１からの出力と第ｉチャンネルに含まれる第ｊチャンネルの作り出した干渉信号とが第ｉ甲減算器４２において時間領域で重なるように遅延させる。これにより、第ｉ甲減算器４２では、第ｉチャンネルに存在する第ｊチャンネルの作り出した干渉信号から第ｊ−ｉ甲ＴＦ２１からの出力を減算して第ｊチャンネルの作り出した干渉信号を低減させることができる。
【００５４】
また、第ｉ甲減算器４２の出力は、干渉信号低減用の第ｉ甲しきい値判定器５２に入力され、判定誤り率が最小となる所定のしきい値でしきい値判定される。この第ｉ甲しきい値判定器５２は、入力点において予めＳ／Ｎが最大化されているため、ガウス雑音及び干渉信号を含まない出力をすることができる。そして、第ｉ甲しきい値判定器５２の出力は、第ｉ−ｊ乙ＴＦ２３に入力される。この第ｉ−ｊ乙ＴＦ２３は、第ｊチャンネルの第ｊ乙しきい値判定器５３のしきい値判定時刻で第ｊチャンネルに含まれる第ｉチャンネルの作り出した干渉信号と同一の値をとるように第ｉチャンネルの干渉信号を複製する。また、第ｉ−ｊ乙ＴＦ２３の出力は、第ｊ乙減算器４３に入力される。
【００５５】
また、第ｉチャンネルでは、３つの分岐ｉ−１、分岐ｉ−２及び分岐ｉ−３のうち分岐ｉ−１からの入力が第ｉ乙遅延素子３２を介して第ｉ乙減算器４１に入力される。ここで、第ｉ乙遅延素子３２は、第ｊ−ｉ乙ＴＦ２２からの出力と第ｉチャンネルに含まれる第ｊチャンネルの作り出した干渉信号とが第ｉ乙減算器４１において時間領域で重なるように遅延させる。これにより、第ｉ乙減算器４１では、第ｉチャンネルに存在する第ｊチャンネルの作り出した干渉信号から第ｊ−ｉ乙ＴＦ２２からの出力を減算して第ｊチャンネルの作り出した干渉信号を低減させることができる。
【００５６】
ここで、本実施形態では、第ｉ−ｊ甲フィルタ、第ｊ−ｉ甲フィルタ、第ｉ−ｊ乙フィルタ及び第ｊ−ｉ乙フィルタとして、それぞれｉ−ｊ甲ＴＦ２０、第ｊ−ｉ甲ＴＦ２１、第ｉ−ｊ乙ＴＦ２３、第ｊ−ｉ乙ＴＦ２２を適用することとしたが、第ｉ−ｊ甲フィルタ、第ｊ−ｉ甲フィルタ、第ｉ−ｊ乙フィルタ又は第ｊ−ｉ乙フィルタは、１の入力を複数に分岐させ、分岐したそれぞれを遅延させ所定のタップ係数を乗じて結合させて出力する適応フィルタとすることができる。
【００５７】
適応フィルタでは、適応フィルタからの出力が希望信号に近づくようにタップ係数を収束させることにより、１の入力に含まれるガウス信号及び干渉信号の全雑音信号の平均電力を最小とすることができる。そのため、適応フィルタとした第ｉ−ｊ甲フィルタ及び第ｉ−ｊ乙フィルタは、それぞれガウス信号及び干渉信号の全雑音信号の平均電力を最小にして第ｊチャンネルに含まれる第ｉチャンネルの作り出した干渉信号を複製することができる。また、適応フィルタとした第ｊ−ｉ甲フィルタ及び第ｊ−ｉ乙フィルタは、それぞれガウス信号及び干渉信号の全雑音信号の平均電力を最小にして第ｉチャンネルに含まれる第ｊチャンネルの作り出した干渉信号を複製することができる。そのため、干渉信号低減回路では、甲フィルタより後段の乙フィルタにおいて前段の甲フィルタよりも、より精度を高く他チャンネルに含まれる自チャンネルの干渉信号を複製することができ、伝送特性を向上させることができる。
【００５８】
また、上記適応フィルタは、本実施形態のように図８で説明したＴＦとする他は、ラティスフィルタ又はシストリックアレーフィルタを適用することができる。ラティスフィルタ及びシストリックアレーフィルタは、共にＴＦと略同様の雑音信号低減効果を得ることができ、上記適応フィルタとして望ましい。
【００５９】
また、上記適応フィルタは、Ｎ個のチャンネルの１つに対応し予め設定した希望信号と適応フィルタの出力との差の２乗値が最小となるようにタップ係数を制御することが望ましい。
【００６０】
ここで、希望信号と適応フィルタの出力との差の２乗値が最小となるようにタップ係数を制御するために、例えば、タップ係数を適当な初期値に設定し、希望信号と適応フィルタの出力との差の２乗値を算出し、その後、２乗値を０に近づけるように繰り返しタップ係数を所定の数式に従って更新する最急降下法を適応することができる。所定の数式としては、例えば、ＬＭＳアルゴリズム、ＲＬＳアルゴリズム及びＳＭＩアルゴリズムに基づいた数式を適用できる（例えば、非特許文献２を参照。）。適応フィルタの出力との差の２乗値が最小となるようにタップ係数を制御することにより、第ｉ−ｊ甲フィルタ及び第ｉ−ｊ乙フィルタは、ガウス信号及び干渉信号の全雑音信号の平均電力を最小にして、第ｊチャンネルに含まれる第ｉチャンネルの作り出した干渉信号を複製することができ、第ｊ−ｉ甲フィルタ及び第ｊ−ｉ乙フィルタは、ガウス信号及び干渉信号の全雑音信号の平均電力を最小にして、第ｉチャンネルに含まれる第ｊチャンネルの作り出した干渉信号を複製することができる。そのため、本実施形態の干渉信号低減回路１０では、甲ＴＦより後段の乙ＴＦにおいて前段の甲ＴＦよりも、精度を高く他チャンネルに含まれる自チャンネルの干渉信号を複製することができ、伝送特性を向上させることができる。
【非特許文献２】Ｓｉｍｏｎ  Ｈａｙｋｉｎ著“適応フィルタ理論”科学技術出版
【００６１】
また、上記適応フィルタとしては、Ｎ個のチャンネルの１つに対応する希望信号をｄｙ，ｚとし、１の入力を複数に分岐させ、分岐したそれぞれを遅延させた遅延ベクトルをｕｙ，ｚとし、遅延ベクトルに乗じるタップ係数のタップ係数ベクトルをＷｙ，ｚとし、希望信号と適応フィルタの出力との差をｅｙ，ｚ＝ｄｙ，ｚ−ｕｙ，ｚＴ・Ｗｙ，ｚとし、遅延ベクトルの相関行列の固有値の最大値をλｍａｘとしたときに、タップ係数ベクトルを、Ｗｙ，ｚ＋１＝Ｗｙ，ｚ＋μ・ｅｙ，ｚ・ｕｙ，ｚ（但し、μは０＜μ＜２／λｍａｘとする。）により更新することが望ましい。本実施形態のように、第ｉ−ｊ甲フィルタ、第ｊ−ｉ甲フィルタ、第ｉ−ｊ乙フィルタ及び第ｊ−ｉ乙フィルタとして、それぞれｉ−ｊ甲ＴＦ、第ｊ−ｉ甲ＴＦ、第ｉ−ｊ乙ＴＦ、第ｊ−ｉ乙ＴＦを適用した場合において、各ＴＦは、いわゆるＬＭＳアルゴリズムに基づいた数式でタップ係数を更新させることが望ましい。
【００６２】
図３に、タップ係数を制御するタップ係数制御回路の概略構成図を示す。
【００６３】
図３のタップ係数制御回路１３は、希望信号ｄｙ，ｚから適応フィルタｕｙ，ｚＴ・Ｗｙ，ｚの出力を減算する減算器７０と、減算器７０からの差ｅｙ，ｚ＝ｄｙ，ｚ−ｕｙ，ｚＴ・Ｗｙ，ｚにステップサイズパラメータμを乗算する乗算器６１と、乗算器６１からの出力に遅延ベクトルの各成分を乗算する乗算器６２から６５と、を有する。ここで希望信号ｄｙ，ｚは、実際のデータ伝送を行う前に、トレーニングパターン（固定の希望信号パターン）を用いてフィルタの出力信号の電圧を最適化するようにして設定する。
【００６４】
適応フィルタとして、図８のＴＦ１２を適用した場合には、ＴＦ１２の遅延素子９０から９３での遅延量をＴとし、遅延ベクトルであるｕｙ，ｚをｕｙ，ｚ＝｛ｕｙ，ｚ（ｔ−ｚＴ），ｕｙ，ｚ（ｔ−（ｚ＋１）Ｔ），ｕｙ，ｚ（ｔ−（ｚ＋２）Ｔ），・・・，ｕｙ，ｚ（ｔ−（ｚ＋Ｆ−１）Ｔ）｝とし、ＴＦ１２の乗算器９４から９８でのタップ係数ベクトルであるＷｙ，ｚをＷｙ，ｚ＝｛ｗｙ，０，ｗｙ，１，ｗｙ，２，・・・，ｗｙ，Ｆ−１｝としたとき、図３のタップ係数制御回路１３では、乗算器６２から６５からタップ係数ベクトルを更新するための増分μ・ｅｙ，ｚ・ｕｙ，ｚの各要素を出力することができる。そして、遅延ベクトルの相関行列Ｃを例えばＣ＝Ｅ［ｕｙ，ｚ・ｕｙ，ｚＴ］で算出し、相関行列Ｃの固有値の最大値をλｍａｘとしてμが０＜μ＜２／λｍａｘを満たすときに、Ｗｙ，ｚがＷｉｅｎｅｒ解に収束し、図８のＴＦ１２は、ＴＦ１２からの出力の全雑音信号の平均電力を最小とすることができる。ここで、Ｃ＝Ｅ［ｕｙ，ｚ・ｕｙ，ｚＴ］は、ｕｙ，ｚ・ｕｙ，ｚＴにより得られる行列の離散時間平均をとったものである。本実施形態のように、第ｉ−ｊ甲フィルタ、第ｊ−ｉ甲フィルタ、第ｉ−ｊ乙フィルタ及び第ｊ−ｉ乙フィルタとして、それぞれｉ−ｊ甲ＴＦ、第ｊ−ｉ甲ＴＦ、第ｉ−ｊ乙ＴＦ、第ｊ−ｉ乙ＴＦを適用した場合には、乙ＴＦは、ガウス雑音及び干渉信号を含まない甲しきい値判定器からの出力を入力とし、ＬＭＳアルゴリズムにより制御されるので、前段の甲ＴＦよりもより精度を高く他チャンネルに含まれる自チャンネルの干渉信号を複製することができる。従って、本実施形態の干渉信号低減回路１０では、伝送特性を向上させることができる。
【００６５】
以上説明したように、本実施形態の干渉信号低減回路１０では、第ｉ−ｊ甲ＴＦ２０でＬＭＳアルゴリズムによりタップ係数を制御して第ｊチャンネルに含まれる第ｉチャンネルの作り出した干渉信号及びガウス雑音の全雑音信号を低減させて第ｊ甲しきい値判定器５０での入力点のＳ／Ｎを最大化し、第ｊ甲遅延素子３０及び第ｊ甲減算器４０により、分岐ｊ−３からの入力から、第ｉ−ｊ甲ＴＦ２０で複製した第ｉチャンネルの干渉信号と第ｊチャンネルに含まれる第ｉチャンネルの干渉信号とを時間領域を重ねて減算するため、第ｊ甲しきい値判定器５０での入力点のＳ／Ｎを最大化することができる。そして、第ｊ甲しきい値判定器５０での入力点のＳ／Ｎを最大化した上で、第ｊ−ｉ乙ＴＦ２２においてＬＭＳアルゴリズムによりタップ係数を制御して、ガウス雑音及び干渉信号を含まない第ｊ甲しきい値判定器５０の出力から、第ｊ乙しきい値判定器５３のしきい値判定時刻で第ｉチャンネルに含まれる第ｊチャンネルの干渉信号と同一の値をとるように、第ｊチャンネルの作り出した干渉信号を複製する。さらに、第ｉ乙遅延素子３２及び第ｉ乙減算器４１により、分岐ｉ−１の入力から、第ｊ−ｉ乙ＴＦ２２で複製した第ｊチャンネルの干渉信号と第ｉチャンネルに含まれる第ｊチャンネルの干渉信号とを時間領域を重ねて減算する。そのため、従来からのＴＦの遅延段数による雑音増加や干渉信号の残留に起因する伝送特性の劣化の問題を解消し、より高い干渉信号低減効果を得ることができる。従って、本実施形態の干渉信号低減回路１０では、第ｉ乙しきい値判定器５１の出力から、判定誤り率の最小値が小さく高精度の第ｉチャンネルの送信データを得ることができ、十分な伝送特性を有する通信の実現を図ることができる。
【００６６】
一方、本実施形態の干渉信号低減回路１０は、第ｊ−ｉ甲ＴＦ２１でＬＭＳアルゴリズムによりタップ係数を制御して第ｉチャンネルに含まれる第ｊチャンネルの作り出した干渉信号及びガウス雑音の全雑音信号を低減させて第ｉ甲しきい値判定器５２での入力点のＳ／Ｎを最大化し、第ｉ甲遅延素子３１及び第ｉ甲減算器４２により、分岐ｉ−３からの入力から、第ｊ−ｉ甲ＴＦ２１で複製した第ｊチャンネルの干渉信号と第ｉチャンネルに含まれる第ｊチャンネルの干渉信号とを時間領域を重ねて減算する。そのため、第ｉ甲しきい値判定器５２での入力点のＳ／Ｎを最大化することができる。そして、第ｉ甲しきい値判定器５２での入力点のＳ／Ｎを最大化した上で、第ｉ−ｊ乙ＴＦ２３においてＬＭＳアルゴリズムによりタップ係数を制御して、ガウス雑音及び干渉信号を含まない第ｉ甲しきい値判定器５２の出力から、第ｊ乙しきい値判定器５３のしきい値判定時刻で第ｊチャンネルに含まれる第ｉチャンネルの干渉信号と同一の値をとるように、第ｉチャンネルの作り出した干渉信号を複製する。さらに、第ｊ乙遅延素子３３及び第ｊ乙減算器４３により、分岐ｊ−１の入力から、第ｉ−ｊ乙ＴＦ２３で複製した第ｉチャンネルの干渉信号と第ｊチャンネルに含まれる第ｉチャンネルの干渉信号とを時間領域を重ねて減算する。そのため、従来からのＴＦの遅延段数による雑音増加や干渉信号の残留に起因する伝送特性の劣化の問題を解消し、より大きい干渉信号低減効果を得ることができる。従って、本実施形態の干渉信号低減回路１０では、第ｊ乙しきい値判定器５３の出力から、判定誤り率の最小値が小さく高精度の第ｊチャンネルの送信データを得ることができ、十分な伝送特性を有する通信の実現を図ることができる。
【００６７】
（第２実施形態）
図２は、本実施形態に係る干渉信号低減回路の概略構成図である。なお、図１及び図２で構成要素が同一のものには、同一の符号を付してある。また、Ｎ個あるチャンネルのうち任意の第ｉチャンネルと第ｊチャンネルとの関係のみを記載しているが、パラメータ「ｉ」、「ｊ」、「ｘ」及び「Ｑ」は、以下に説明する各但し書きの条件で他のパラメータに依拠せずに独立に任意の値をとる。
【００６８】
図２の干渉信号低減回路１１は、図１の干渉信号低減回路１０の第ｉチャンネルに新たに、１の入力から第ｊチャンネルに含まれる第ｉチャンネルの干渉信号を複製して出力する第ｉ−ｊ丙ｘフィルタ（但し、ｘは１以上、Ｑ以下の整数とし、Ｑは１以上の整数とする。）としての第ｉ−ｊ丙ｘＴＦ２７と、第ｉチャンネルの入力の他のＱ個の分岐のうち１つを遅延させて出力する第ｉ丙ｘ遅延素子３６と、第ｉ丙ｘ遅延素子３６の出力から第ｉチャンネルに含まれる第ｊチャンネルの干渉信号の複製を減算して出力する第ｉ丙ｘ減算器４５と、第ｉ丙ｘ減算器４５の出力を判定誤り率が最小となる所定のしきい値で判定して第ｉチャンネルの送信データの推定値を出力する第ｉ丙ｘしきい値判定器５５と、をさらに設けた構成をしている。
【００６９】
ここでは、新たに追加された構成要素の他は、第１実施形態で説明した図１の干渉信号低減回路１０の各構成要素と同一であるため、追加された構成要素についてのみ説明する。
【００７０】
本実施形態では、図２に示すように、第ｉチャンネルの第ｉ−ｊ丙ｘＴＦ２７は、第ｉ丙（ｘ−１）しきい値判定器からの出力が１の入力とされる。但し、第ｉ−ｊ丙１ＴＦ２４のみは、第ｉ乙しきい値判定器５１からの出力が１の入力とされる。この第ｉ−ｊ丙ｘＴＦ２７は、第ｊチャンネルの第ｊ丙ｘしきい値判定器５８のしきい値判定時刻で第ｊチャンネルに含まれる第ｉチャンネルの作り出した干渉信号と同一の値をとるように第ｉチャンネルの干渉信号を複製する。つまり、第ｉ−ｊ丙ｘＴＦ２７は、第ｉチャンネルに含まれるガウス雑音と干渉信号を合わせた全雑音信号の平均電力を低減させるように、第ｊチャンネルに含まれる第ｉチャンネルの干渉信号を複製する。干渉信号の具体的な複製アルゴリズムは、第１実施形態で説明した第ｉ甲ＴＦと同様である。
【００７１】
一方、第ｊチャンネルにおいても第ｉチャンネルと同様に、第ｊチャンネルの第ｊ−ｉ丙ｘＴＦ２６は、第ｊ丙（ｘ−１）しきい値判定器からの出力が１の入力とされる。但し、第ｊ−ｉ丙１ＴＦ２５のみは、第ｊ乙しきい値判定器５３からの出力が１の入力とされる。この第ｊ−ｉ丙ｘＴＦ２６は、第ｉチャンネルの第ｉ丙ｘしきい値判定器５５のしきい値判定時刻で第ｉチャンネルに含まれる第ｊチャンネルの作り出した干渉信号と同一の値をとるように第ｊチャンネルの干渉信号を複製する。つまり、第ｊ−ｉ丙ｘＴＦ２６は、第ｊチャンネルに含まれるガウス雑音と干渉信号を合わせた全雑音信号の平均電力を低減させるように、第ｉチャンネルに含まれる第ｊチャンネルの干渉信号を複製する。干渉信号の具体的な複製アルゴリズムは、第１実施形態で説明した第ｊ甲ＴＦと同様である。
【００７２】
また、第ｊチャンネルでは、３つの分岐ｊ−１、分岐ｊ−２及び分岐ｊ−３の他にさらに分岐ｊ−丙１から分岐ｊ−丙ＱのＱ個のうち分岐ｊ−丙ｘからの入力が第ｊ丙ｘ遅延素子３８を介して第ｊ丙ｘ減算器４８に入力される。また、第ｊ丙ｘ減算器４８には、第ｉ−ｊ丙ｘＴＦ２７の出力が入力される。ここで、第ｊ丙ｘ遅延素子３８は、第ｉ−ｊ丙ｘＴＦ２７からの出力と第ｊチャンネルに含まれる第ｉチャンネルの作り出した干渉信号とが第ｊ丙ｘ減算器４８において時間領域で重なるように遅延させる。これにより、第ｊ丙ｘ減算器４８では、第ｊチャンネルに存在する第ｉチャンネルの作り出した干渉信号から第ｉ−ｊ丙ｘＴＦ２７からの出力を減算して第ｉチャンネルの作り出した干渉信号を低減させることができる。
【００７３】
また、第ｊ丙ｘ減算器４８の出力は、干渉信号低減用の第ｊ丙ｘしきい値判定器５８に入力され、判定誤り率が最小となる所定のしきい値でしきい値判定される。この第ｊ丙ｘしきい値判定器５８は、入力点において予めＳ／Ｎが予め最大化されているため、ガウス雑音及び干渉信号を含まない出力をすることができる。そして、第ｊ丙ｘしきい値判定器５８の出力は、第ｊ−ｉ丙（ｘ＋１）ＴＦに入力される。
【００７４】
一方、第ｉチャンネルにおいても第ｊチャンネルと同様に、３つの分岐ｉ−１、分岐ｉ−２及び分岐ｉ−３の他にさらに分岐ｉ−丙１から分岐ｉ−丙ＱのＱ個のうち分岐ｉ−丙ｘからの入力が第ｉ丙ｘ遅延素子３６を介して第ｉ丙ｘ減算器４５に入力される。また、第ｉ丙ｘ減算器４５には、第ｊ−ｉ丙ｘＴＦ２６の出力が入力される。ここで、第ｉ丙ｘ遅延素子３６は、第ｊ−ｉ丙ｘＴＦ２６からの出力と第ｉチャンネルに含まれる第ｊチャンネルの作り出した干渉信号とが第ｉ丙ｘ減算器４５において時間領域で重なるように遅延させる。これにより、第ｉ丙ｘ減算器４５では、第ｉチャンネルに存在する第ｊチャンネルの作り出した干渉信号から第ｊ−ｉ丙ｘＴＦ２６からの出力を減算して第ｊチャンネルの作り出した干渉信号を低減させることができる。
【００７５】
また、第ｉ丙ｘ減算器４５の出力は、干渉信号低減用の第ｉ丙ｘしきい値判定器５５に入力され、判定誤り率が最小となる所定のしきい値でしきい値判定される。この第ｉ丙ｘしきい値判定器５５は、入力点において予めＳ／Ｎが最大化されているため、ガウス雑音及び干渉信号を含まない出力をすることができる。そして、第ｉ丙ｘしきい値判定器５５の出力は、第ｉ−ｊ丙（ｘ＋１）ＴＦに入力される。
【００７６】
ここで、本実施形態では、第ｉ−ｊ丙ｘフィルタ及び第ｊ−ｉ丙ｘフィルタとして、それぞれ第ｉ−ｊ丙ｘＴＦ２７及び第ｊ−ｉ丙ｘＴＦ２６を適用することとしたが、第ｉ−ｊ丙ｘフィルタ又は第ｊ−ｉ丙ｘフィルタは、第１実施形態で説明した第ｉ−ｊ甲ＴＦ及び第ｊ−ｉ甲ＴＦと同様に、１の入力を複数に分岐させ、分岐したそれぞれを遅延させ所定のタップ係数を乗じて結合させて出力する適応フィルタとすることができる。適応フィルタとした第ｉ−ｊ丙ｘフィルタは、ガウス信号及び干渉信号の全雑音信号の平均電力を最小にして第ｊチャンネルに含まれる第ｉチャンネルの作り出した干渉信号を複製することができる。また、適応フィルタとした第ｊ−ｉ丙ｘフィルタは、ガウス信号及び干渉信号の全雑音信号の平均電力を最小にして第ｉチャンネルに含まれる第ｊチャンネルの作り出した干渉信号を複製することができる。そのため、干渉信号低減回路では、丙（ｘ−１）フィルタより後段の丙ｘフィルタにおいて前段の丙（ｘ−１）フィルタよりも、より精度を高く他チャンネルに含まれる自チャンネルの干渉信号を複製することができ、伝送特性を向上させることができる。
【００７７】
また、上記適応フィルタは、本実施形態のようにＴＦとする他は、第１実施形態で説明したように、ラティスフィルタ又はシストリックアレーフィルタを適用することができる。ラティスフィルタ及びシストリックアレーフィルタは、共にＴＦと略同様の雑音信号低減効果を得ることができ、上記適応フィルタとして望ましい。ＴＦ、ラティスフィルタ又はシストリックアレーフィルタは、いずれも、ガウス信号及び干渉信号の全雑音信号の平均電力を最小とすることができる。そのため、本実施形態の干渉信号低減回路１１では、第ｉ−ｊ丙ｘＴＦ２７及び第ｊ−ｉ丙ｘＴＦ２６より後段のしきい値判定器における判定誤りの最小値を小さくすることができ、伝送特性を向上させることができる。
【００７８】
また、上記適応フィルタは、第１実施形態で説明したように、Ｎ個のチャンネルの１つに対応し予め設定した希望信号と適応フィルタの出力との差の２乗値が最小となるようにタップ係数を制御することが望ましい。適応フィルタの出力との差の２乗値が最小となるようにタップ係数を制御することにより、第ｉ−ｊ丙ｘＴＦ２７は、ガウス信号及び干渉信号の全雑音信号の平均電力を最小にして、第ｊチャンネルに含まれる第ｉチャンネルの作り出した干渉信号を複製することができる。そのため、本実施形態の干渉信号低減回路１０では、丙（ｘ−１）ＴＦより後段の丙ｘＴＦにおいて前段の丙（ｘ−１）ＴＦよりも、より精度を高く他チャンネルに含まれる自チャンネルの干渉信号を複製することができ、伝送特性を向上させることができる。
【００７９】
また、上記適応フィルタとしては、第１実施形態で説明したように、Ｎ個のチャンネルの１つに対応する希望信号をｄｙ，ｚとし、１の入力を複数に分岐させ、分岐したそれぞれを遅延させた遅延ベクトルをｕｙ，ｚとし、遅延ベクトルに乗じるタップ係数のタップ係数ベクトルをＷｙ，ｚとし、希望信号と適応フィルタの出力との差をｅｙ，ｚ＝ｄｙ，ｚ−ｕｙ，ｚＴ・Ｗｙ，ｚとし、遅延ベクトルの相関行列の固有値の最大値をλｍａｘとしたときに、タップ係数ベクトルを、Ｗｙ，ｚ＋１＝Ｗｙ，ｚ＋μ・ｅｙ，ｚ・ｕｙ，ｚ（但し、μは０＜μ＜２／λｍａｘとする。）により更新することが望ましい。タップ係数ベクトルを上記のように更新することにより、第ｉ−ｊ丙ｘＴＦ２７は、ガウス信号及び干渉信号の全雑音信号の平均電力を最小にして、第ｊチャンネルに含まれる第ｉチャンネルの作り出した干渉信号を複製することができ、第ｊ−ｉ丙ｘＴＦ２６は、ガウス信号及び干渉信号の全雑音信号の平均電力を最小にして、第ｉチャンネルに含まれる第ｊチャンネルの作り出した干渉信号を複製することができる。そのため、本実施形態のように、第ｉ−ｊ丙ｘフィルタ及び第ｊ−ｉ丙ｘフィルタとして、それぞれｉ−ｊ丙ｘＴＦ２７及び第ｊ−ｉ丙ｘＴＦ２６を適用した場合には、丙ｘＴＦは、ガウス雑音及び干渉信号を含まない丙（ｘ−１）しきい値判定器からの出力を入力とし、ＬＭＳアルゴリズムにより制御されるので、前段の丙（ｘ−１）ＴＦよりもより精度を高く他チャンネルに含まれる自チャンネルの干渉信号を複製することができる。従って、本実施形態の干渉信号低減回路１１では、伝送特性を向上させることができる。
【００８０】
以上説明したように、本実施形態の干渉信号低減回路１１では、第１実施形態で説明した干渉信号低減回路１０に、第ｉチャンネルについて、さらに分岐ｉ−丙１から分岐ｉ−丙ＱのＱ個の分岐を設け、分岐ｉ−丙ｘからの入力を第ｉ丙ｘ遅延素子３６を介して第ｉ丙ｘ減算器４５に入力する。また、第ｊチャンネルの第ｊ丙（ｘ−１）しきい値判定器での送信データの推定値を第ｊ−ｉ丙ｘＴＦ２６入力し、第ｊ−ｉ丙ｘＴＦ２６でＬＭＳアルゴリズムによりタップ係数を制御して第ｉチャンネルに含まれる第ｊチャンネルの作り出した干渉信号を第ｉ丙ｘしきい値判定器５５での入力点のＳ／Ｎを最大化するように複製し第ｉ丙ｘ減算器４５に入力する。そして、第ｉ丙ｘ減算器４５において、第ｊ−ｉ丙ｘＴＦ２６で複製した第ｊチャンネルの干渉信号と第ｉチャンネルに含まれる第ｊチャンネルの干渉信号とを時間領域を重ねて減算する。これにより、前段の第ｉ丙（ｘ−１）しきい値判定器が判定誤りをして、Ｓ／Ｎを劣化させたとしても、第ｉ丙ｘしきい値判定器５５では、前段以上にＳ／Ｎを改善できるので、従来からのＴＦの遅延段数による雑音増加や干渉信号の残留に起因する伝送特性の劣化の問題を解消し、さらに判定誤り率の最小値を小さくすることができ、より大きな干渉信号低減効果を得ることができる。従って、本実施形態の干渉信号低減回路１１では、最終段の第ｉ丙Ｑしきい値判定器５６の出力から、判定誤り率の最小値が小さく高精度の第ｉチャンネルの送信データを得ることができ、十分な伝送特性を有する通信の実現を図ることができる。
【００８１】
一方、第１実施形態で説明した干渉信号低減回路１０に、第ｊチャンネルについて、さらに分岐ｊ−丙１から分岐ｊ−丙ＱのＱ個の分岐を設け、分岐ｊ−丙ｘからの入力を第ｊ丙ｘ遅延素子３８を介して第ｊ丙ｘ減算器４８に入力する。また、第ｉチャンネルの第ｉ丙（ｘ−１）しきい値判定器での送信データの推定値を第ｉ−ｊ丙ｘＴＦ２７入力し、第ｉ−ｊ丙ｘＴＦ２７でＬＭＳアルゴリズムによりタップ係数を制御して第ｊチャンネルに含まれる第ｉチャンネルの作り出した干渉信号を第ｊ丙ｘしきい値判定器５８での入力点のＳ／Ｎを最大化するように複製し第ｊ丙ｘ減算器４８に入力する。そして、第ｊ丙ｘ減算器４８において、第ｉ−ｊ丙ｘＴＦ２７で複製した第ｉチャンネルの干渉信号と第ｊチャンネルに含まれる第ｉチャンネルの干渉信号とを時間領域を重ねて減算する。これにより、前段の第ｊ丙（ｘ−１）しきい値判定器が判定誤りをして、Ｓ／Ｎを劣化させたとしても、第ｊ丙ｘしきい値判定器５８では、前段以上にＳ／Ｎを改善できるので、従来からのＴＦの遅延段数による雑音増加や干渉信号の残留に起因する伝送特性の劣化の問題を解消し、さらに判定誤り率の最小値を小さくすることができ、より大きな干渉信号低減効果を得ることができる。従って、本実施形態の干渉信号低減回路１１では、最終段の第ｊ丙Ｑしきい値判定器５９の出力から、判定誤り率の最小値が小さく高精度の第ｊチャンネルの送信データを得ることができ、十分な伝送特性を有する通信の実現を図ることができる。
【産業上の利用可能性】
【００８２】
本発明の干渉信号低減回路は、中継ネットワーク等の幹線系ネットワークのみならず、ローカルエリアネットワークやアクセスネットワークを構築する際の多重通信システムにおける干渉信号低減回路としても適用することができる。
【図面の簡単な説明】
【００８３】
【図１】１実施形態に係る干渉信号低減回路の概略構成図である。
【図２】１実施形態に係る干渉信号低減回路の概略構成図である。
【図３】タップ係数を制御するタップ係数制御回路の概略構成図である。
【図４】多重通信方式の１例である波長分割多重通信方式で通信を行う場合の波長分割多重通信システムの概略構成図である。
【図５】光分波器の光透過特性の１例を示した図である。
【図６】従来の干渉信号低減回路の概略構成図の１例である。
【図７】従来の干渉信号低減回路の概略構成図の１例である。
【図８】トランスバーサルフィルタの概略構成図の１例である。
【符号の説明】
【００８４】
１０：干渉信号低減回路
１１：干渉信号低減回路
１２：トランスバーサルフィルタ
１３：タップ係数制御回路
２０：第ｉ−ｊ甲ＴＦ
２１：第ｊ−ｉ甲ＴＦ
２２：第ｊ−ｉ乙ＴＦ
２３：第ｉ−ｊ乙ＴＦ
２４：第ｉ−ｊ丙１ＴＦ
２５：第ｊ−ｉ丙１ＴＦ
２６：第ｊ−ｉ丙ｘＴＦ
２７：第ｉ−ｊ丙ｘＴＦ
２８：第ｊ−ｉ丙ＱＴＦ
２９：第ｉ−ｊ丙ＱＴＦ
３０：第ｊ甲遅延素子
３１：第ｉ甲遅延素子
３２：第ｉ乙遅延素子
３３：第ｊ乙遅延素子
３４：第ｉ丙１遅延素子
３５：第ｊ丙１遅延素子
３６：第ｉ丙ｘ遅延素子
３７：第ｉ丙Ｑ遅延素子
３８：第ｊ丙ｘ遅延素子
３９：第ｊ丙Ｑ遅延素子
４０：第ｊ甲減算器
４１：第ｉ乙減算器
４２：第ｉ甲減算器
４３：第ｊ乙減算器
４４：第ｉ丙１減算器
４５：第ｉ丙ｘ減算器
４６：第ｉ丙Ｑ減算器
４７：第ｊ丙１減算器
４８：第ｊ丙ｘ減算器
４９：第ｊ丙Ｑ減算器
５０：第ｊ甲しきい値判定器
５１：第ｉ乙しきい値判定器
５２：第ｉ甲しきい値判定器
５３：第ｊ乙しきい値判定器
５４：第ｉ丙１しきい値判定器
５５：第ｉ丙ｘしきい値判定器
５６：第ｉ丙Ｑしきい値判定器
５７：第ｊ丙１しきい値判定器
５８：第ｊ丙ｘしきい値判定器
５９：第ｊ丙Ｑしきい値判定器
６１：乗算器
６２：乗算器
６３：乗算器
６４：乗算器
６５：乗算器
７０：減算器
７１：第ａ遅延素子
７２：第ｂ遅延素子
７３：第ａ減算器
７４：第ｂ減算器
７５：第ａしきい値判定器
７６：第ｂしきい値判定器
７７：第ａＴＦ
７８：第ｂＴＦ
７９：光ファイバ
８０：送信機
８１：送信機
８２：受信機
８３：受信機
８４：光合波器
８５：光分波器
９０：遅延素子
９１：遅延素子
９２：遅延素子
９３：遅延素子
９４：乗算器
９５：乗算器
９６：乗算器
９７：乗算器
９８：乗算器
９９：加算器
１００：波長分割多重通信システム
１０１：干渉信号低減回路
１０２：干渉信号低減回路
【図１】
0004463747.tif 000002
【図２】
0004463747.tif 000003
【図３】
0004463747.tif 000004
【図４】
0004463747.tif 000005
【図５】
0004463747.tif 000006
【図６】
0004463747.tif 000007
【図７】
0004463747.tif 000008
【図８】
0004463747.tif 000009